(57)【要約】
【課題】  個性的であるとともに、結婚を強く印象付けることができる結婚式用印刷物を提供する。
【解決手段】  披露宴用招待状１は、挨拶文や招待文などの文字２が印刷された内紙３と、この内紙３を包む表紙４から成り、表紙４は三つ折りに折り畳み、折り返し部３Ｃの差し入れ片７を折り返し部３Ｂのスリット８に挿入することにより表紙４を折り畳んだ状態で保持する。差し入れ片７には四葉型の模様部10が形成され、この四葉型の模様部10に人工ダイヤなどからなる装飾部51が形成されている。これにより、幸福を運ぶ四葉のクローバーからくる幸福なイメージを参列者に与えることができるとともに人工ダイヤなどからなる装飾部11により高級なイメージを与えることできるとともに、光輝する装飾部11によって高い装飾性を与えることができる。
【選択図】        図２
0003101126.tif 000002
【実用新案登録請求の範囲】
【請求項１】
少なくとも結婚式の披露宴用招待状、席次表、披露宴用メニューを備えた結婚式用印刷物であって、前記披露宴用招待状、席次表、披露宴用メニューの表面側に四葉型の模様部を貼り付けたことを特徴とする結婚式用印刷物。
【請求項２】
前記披露宴用招待状と席次表が少なくとも招待文等の必要な文字が印刷された内紙と、この内紙を包み込むように三つ折りに折り畳む表紙によって構成し、その表紙の一方の折り返し部にスリットを形成するとともに、他方の折り返し部に前記スリットに差し入れる差し入れ片を形成し、この差し入れ片の表面に前記四葉型の模様部を貼り付けて前記スリットと差し入れ片を被覆したことを特徴とする請求項１記載の結婚式用印刷物。
【請求項３】
前記披露宴用メニューが少なくとも、メニュー等の必要な文字が印刷され内紙と、この内紙を包み込むように二つ折りに折り畳む表紙によって構成するとともに、表面側に位置する表紙の折り目部分に前記四葉型の模様部の輪郭の一部となる切込み部を形成し、前記表紙を二つ折りに折り畳むことによって前記披露宴用メニューの折り目部分に、前記切込み部と該切込み部によって形成される突出部によって四葉型の模様部を形成するとともに、前記披露宴用メニューの縁部から突出する第二の四葉型の模様部を貼り付けたことを特徴とする請求項１記載の結婚式用印刷物。
【請求項４】
前記模様部に人工ダイヤなどからなる装飾部を設けたことを特徴とする請求項１〜３の何れか１項記載の結婚式用印刷物。
【考案の詳細な説明】
【技術分野】
【０００１】
本考案は、結婚式・披露宴で使用する招待状、席次表、披露宴用メニュー及びそれに関連する各種書類を含めた結婚式用印刷物に関する。
【背景技術】
【０００２】
近年、結婚式・披露宴で使用する招待状、席次表、披露宴で提供される会食用のメニューなどは使用する紙質やデザイン、色調などが統一され、これがセットとして使用者に提供されている。このような結婚式用印刷物は、利用者が複数の規格化されたセットのうち、気に入った結婚式用印刷物を選択するようにしている。
【考案の開示】
【考案が解決しようとする課題】
【０００３】
しかしながら、こうした結婚式用印刷物は、デザイン的に平凡なものが多く、また、結婚という幸福感に溢れたイメージを強く印象付けるデザインも少ない。
【０００４】
そこで、本考案は上記のような従来技術の問題点に鑑みて、個性的であるとともに、結婚を強く印象付けることができる結婚式用印刷物を提供することを目的とする。
【課題を解決するための手段】
【０００５】
上記目的を達成するために、本考案の結婚式用印刷物は、少なくとも結婚式の披露宴用招待状、席次表、披露宴用メニューを備えた結婚式用印刷物であって、前記披露宴用招待状、席次表、披露宴用メニューの表面側に四葉型の模様部を貼り付けたことを特徴とする。
【０００６】
このように構成した本考案に係る結婚式用印刷物によれば、四葉型の模様部によって幸福を運ぶ四葉のクローバーからくる幸福なイメージを参列者に与えることができる。
【０００７】
ここで、前記披露宴用招待状と席次表が少なくとも招待文等の必要な文字が印刷された内紙と、この内紙を包み込むように三つ折りに折り畳む表紙によって構成し、その表紙の一方の折り返し部にスリットを形成するとともに、他方の折り返し部に前記スリットに差し入れる差し入れ片を形成し、この差し入れ片の表面に前記四葉型の模様部を貼り付けて前記スリットと差し入れ片を被覆したものでもよい。
【０００８】
このように構成した場合は、差し入れ片をスリットに差し込むことにより披露宴用招待状及び席次表を折り畳んだ状態で保持することができるとともに、これら差し入れ片やスリットが四葉型の模様部で覆われるから、外面的に露出しない。
【０００９】
また、前記披露宴用メニューが少なくとも、メニュー等の必要な文字が印刷され内紙と、この内紙を包み込むように二つ折りに折り畳む表紙によって構成するとともに、表面側に位置する表紙の折り目部分に前記四葉型の模様部の輪郭の一部となる切込み部を形成し、前記表紙を二つ折りに折り畳むことによって前記披露宴用メニューの折り目部分に、前記切込み部と該切込み部によって形成される突出部によって四葉型の模様部を形成するとともに、前記披露宴用メニューの縁部から突出する第二の四葉型の模様部を貼り付けたものでもよい。
【００１０】
このように構成した場合は、披露宴用メニューの折り目部分と縁部にそれぞれ四葉型の模様部を形成され、より装飾性を高めることができる。
【００１１】
さらに、前記模様部に人工ダイヤなどからなる装飾部を設けたものであってもよい。
【００１２】
このように構成した場合は、人工ダイヤなどからなる装飾部が光輝し、より装飾性を高めることができる。
【考案の効果】
【００１３】
本考案の請求項１に記載の結婚式用印刷物は、少なくとも結婚式の披露宴用招待状、席次表、披露宴用メニューを備えた結婚式用印刷物であって、前記披露宴用招待状、席次表、披露宴用メニューの表面側に四葉型の模様部を貼り付けたものであるから、これら披露宴用招待状、席次表、披露宴用メニューに幸福を運ぶ四葉のクローバーからくる幸福なイメージを参列者に与えることができる。
【００１４】
本考案の請求項２に記載の結婚式用印刷物は、請求項１に記載の結婚式用印刷物において、前記披露宴用招待状と席次表が少なくとも招待文等の必要な文字が印刷された内紙と、この内紙を包み込むように三つ折りに折り畳む表紙によって構成し、その表紙の一方の折り返し部にスリットを形成するとともに、他方の折り返し部に前記スリットに差し入れる差し入れ片を形成し、この差し入れ片の表面に前記四葉型の模様部を貼り付けて前記スリットと差し入れ片を被覆したものあるから、スリットに差し入れ片を差し入れことで披露宴用招待状及び席次表を三つ折りに折り畳んだ保持できるとともに、これらスリットと差し入れ片が四葉型の模様部で覆われるからデザイン的にも優れたものとなる。
【００１５】
本考案の請求項３に記載の結婚式用印刷物は、請求項１に記載の結婚式用印刷物において、前記披露宴用メニューが少なくとも、メニュー等の必要な文字が印刷され内紙と、この内紙を包み込むように二つ折りに折り畳む表紙によって構成するとともに、表面側に位置する表紙の折り目部分に前記四葉型の模様部の輪郭の一部となる切込み部を形成し、前記表紙を二つ折りに折り畳むことによって前記披露宴用メニューの折り目部分に、前記切込み部と該切込み部によって形成される突出部によって四葉型の模様部を形成するとともに、前記披露宴用メニューの縁部から突出する第二の四葉型の模様部を貼り付けたものであるから、装飾性を高めることができるとともに、披露宴用メニューを開く際、披露宴用メニューの縁部から突出する第２の四葉型の模様部によって披露宴用メニューが開きやすくなる。
【００１６】
本考案の請求項４に記載の結婚式用印刷物は、請求項１〜３の何れか１項において、前記模様部に人工ダイヤなどからなる装飾部を設けたものであるから、装飾部によってより装飾性を高めることができる。
【考案を実施するための最良の形態】
【００１７】
以下図面を参照して、本考案の好適な実施形態について説明する。
【００１８】
まず、本考案に係る結婚式用印刷物の一実施形態の構成について、添付図面を参照して説明する。
【００１９】
本考案に係る結婚式用印刷物は、披露宴用招待状１、席次表20、披露宴用メニュー40からなる。
【００２０】
図１及び図２に示すように、披露宴用招待状１は、挨拶文や招待文などの文字２が印刷された内紙３と、この内紙３を包む表紙４から成り、表紙４は左右に間隔をおいて平行する折り目５,６が形成され、その折り目５,６に沿って内紙３を包み込むように表紙４を三つ折りに折り畳む。
【００２１】
内紙３は折り目５,６間に形成された中央部３Ａに糊付けなどによって接着固定され、折り目６によって形成される折り返し部３Ｂは中央部３Ａとほぼ同じ幅であり、折り目５によって形成される折り返し部３Ｃは、これら折り返し部３Ｂ,中央部３Ａのほぼ半分の幅に形成されている。そして、内紙３が貼着された中央部３Ａに折り返し部３Ｂを重ね合わせ、その折り返し部３Ｂの表面側に折り返し部３Ｃを重ね合わせる。また、表面側に位置する折り返し部３Ｃの縁部には台形状の差し入れ片７が形成され、裏面側に位置する折り返し部３Ｂには差し込み用のスリット８が形成されており、そのスリット８に差し入れ片７を挿入することにより図２に示すように披露宴用招待状１を折り畳んだ状態で保持する。さらに、差し入れ片７の表面には四葉型の模様部10が糊付けなどによって取付けられ、披露宴用招待状１を折り畳んだ状態において、四葉型の模様部10によってスリット８及び差し入れ片７が被覆されている。また、四葉型の模様部10の表面側には人工ダイヤなどからなる装飾部11が形成されている。
【００２２】
席次表20は図３に示すように、前記披露宴用招待状１と実質同一の構成であり、席次などの文字22が印刷された内紙23と、この内紙23を包む表紙24から成り、表紙24は左右に間隔をおいて平行する折り目25,26が形成され、その折り目26,26に沿って内紙23を包み込むように表紙24を三つ折りに折り畳む。
【００２３】
内紙23は折り目25,26間に形成された中央部23Ａと折り目26によって形成される折り返し部23Ｂの内面側に２つ折りして配置され、紐Ａによって表紙24に保持されている。また、折り目26によって形成される折り返し部23Ｂは中央部23Ａとほぼ同じ幅であり、折り目25によって形成される折り返し部23Ｃは、これら折り返し部23Ｂ,中央部23Ａのほぼ半分の幅に形成されている。そして、中央部３Ａに折り返し部３Ｂを重ね合わせ、その折り返し部23Ｂの表面側に折り返し部23Ｃを重ね合わせる。また、表面側に位置する折り返し部23Ｃの縁部には台形状の差し入れ片27が形成され、裏面側に位置する折り返し部23Ｂには差し込み用のスリット28が形成されており、そのスリット28に差し入れ片27を挿入することにより図３（ｂ）に示すように披露宴用招待状１を折り畳んだ状態で保持する。さらに、差し入れ片７の表面には四葉型の模様部30が糊付けなどによって取付られ、この四葉型の模様部30によってスリット28及び差し入れ片27が被覆されている。また、四葉型の模様部30の表面側には人工ダイヤなどからなる装飾部31が形成されている。
【００２４】
披露宴用メニュー40は図４に示すように、メニュー等の文字41が印刷された内紙42と、この内紙を包む表紙43と成り、表紙43は縦方向に２つ折りして構成されている。この表紙43の内側には内紙42が糊付けなどの適宜手段で接着されている。また、表面側に位置する表紙43の折り目45部分に四葉の輪郭の一部となる切込み部47を形成する。そして、前記表紙43を二つ折りに折り畳むことによって前記折り目45部分に、前記切込み部47と該切込み部47によって形成される折り目45から突出する突出部48が形成され、これら切込み部47と突出部48によって四葉型の模様部46を形成する。さらに、前記表紙43の中央左端寄りに別途成形した第二の四葉型の模様部50を糊付けなどの適宜手段で接着している。なお、この第二の四葉型の模様部50は前記表紙43の縁部から突出するようにして取り付けられているとともに、第二の四葉型の模様部50には人工ダイヤなどからなる装飾部51が形成されている。
【００２５】
このように、披露宴用招待状１、席次表20、披露宴用メニュー40からなる結婚式用印刷物において、披露宴用招待状１、席次表20、披露宴用メニュー40のそれぞれに四葉型の模様部10,30,46,50が形成されているから、幸福を運ぶ四葉のクローバーからくる幸福なイメージを参列者に与えることができる。さらに、四葉型の模様部10,30,50には人工ダイヤなどからなる装飾部11,31,51が形成されているから、披露宴用招待状１、席次表20、披露宴用メニュー40により高級なイメージを与えることできるとともに、装飾部11,31,51がキラキラと光輝し、披露宴用招待状１、席次表20、披露宴用メニュー40により高い装飾性を与えることができる。
【００２６】
また、披露宴用招待状１、席次表20において、スリット８,28に差し入れ片７,27を差し入れことで披露宴用招待状１及び席次表20を三つ折りに折り畳んだ保持できるとともに、これらスリット８,28と差し入れ片７,27が四葉型の模様部10,30で覆われるからデザイン的にも優れたものとなる。
【００２７】
さらに、披露宴用メニュー40において、披露宴用メニュー40の折り目45部分と表紙43の中央左端寄りに四葉型の模様部46と第二の四葉型の模様部50とがそれぞれ突出するように形成され、より一層、装飾性を高めることができるとともに、披露宴用メニュー40を開く際、披露宴用メニュー40の縁部から突出する第２の四葉型の模様部50に指を掛けることによって披露宴用メニュー40が開きやすくなるという利点もある。
【００２８】
以上、本考案に係る結婚式用印刷物について添付図面を参照して説明してきたが、本考案は上記実施形態に限定されるものではなく、本考案の思想の範囲内で種々の変形実施が可能である。例えば、披露宴用招待状１、席次表20、披露宴用メニュー40の形状、デザイン、レイアウトなどは適宜選定すればよい。
【図面の簡単な説明】
【００２９】
【図１】本考案に係る披露宴用招待状を開いた状態の正面図である。
【図２】本考案に係る披露宴用招待状を閉じた状態の正面図である。
【図３】本考案に係る席次表の構成を示し、図３（ａ）は席次表を閉じた状態の正面図、図３（ｂ）は席次表を開いた状態の正面図である。
【図４】本考案に係る披露宴用メニューの構成を示し、図４（ａ）は披露宴用メニューを閉じた状態の正面図、図４（ｂ）は披露宴用メニューを開いた状態の正面図である。
【符号の説明】
【００３０】
１      披露宴用招待状
３,23,43      内紙
３Ｂ,３Ｃ,23Ｂ,23Ｃ    折り返し部
４,24,44      表紙
７,27      差し入れ片
８,28      スリット
10,30,46    四葉型の模様部
11,31,51      装飾部
20      席次表
40      披露宴用メニュー
47      切込み部
50      第２の四葉型の模様部
【図１】
0003101126.tif 000003
【図２】
0003101126.tif 000004
【図３】
0003101126.tif 000005
【図４】
0003101126.tif 000006